(57)【要約】【課題】  本発明は、主に寺社等で御札等を燃焼するために使用される焼却炉の改良発明である。【解決手段】  本発明は、上記の課題を解決するために、４つの投入口を十文字状に配置した釣り鐘状の燃焼室の内部に火格子、灰漏斗を設けた燃焼部と、燃焼部に接続された煙道とアフターバーナーを備えたサイクロン室からなるサイクロン式燃焼室と、サイクロン室内を負圧にするために空気を送り込むブロアー及び送気管とからなるブロアー部と、燃焼から起こる煙を外部に吐き出すための送煙管からなる排気部とからなり、前記燃焼部、サイクロン式燃焼室、ブロアー部、排気部を縦型に接続したことを特徴とする半乾留・負圧燃焼方式焼却炉と燃焼後の灰を蓄積する灰受け皿より灰を外部へ運び出すためのベルトコンベアを備えたことを特徴とする半乾留・負圧燃焼方式焼却炉の構成とした。【選択図】  図１
2005061776.tif 000002
【特許請求の範囲】
【請求項１】
４つの投入口を十文字状に配置した釣り鐘状の燃焼室の内部に火格子、灰漏斗を設けた燃焼部と、前記燃焼部に接続された煙道とアフターバーナーを備えたサイクロン室からなるサイクロン式燃焼室と、前記サイクロン室内を負圧にするために空気を送り込むブロアー及び送気管とからなるブロアー部と、燃焼から起こる煙を外部に吐き出すための送煙管からなる排気部とからなり、前記燃焼部、サイクロン式燃焼室、ブロアー部、排気部を上から下に縦方向に設けたことを特徴とする半乾留・負圧燃焼方式焼却炉。
【請求項２】
燃焼後の灰を蓄積する灰受け皿より灰を外部へ運び出すためのベルトコンベアを備えたことを特徴とする請求項１に記載の半乾留・負圧燃焼方式焼却炉。
【発明の詳細な説明】
【技術分野】
【０００１】
本発明は、主に寺社等で御札等を燃焼するために使用される焼却炉の改良発明である。
【背景技術】
【０００２】
従来の焼却炉は、図５に示したように排気筒１１と燃焼室１２と灰受け室１３とからなる焼却炉１０であり、外観１４は寺社等などで使用するため幾重かの塔などの形で形成されていた。
【０００３】
外観１４の内部は、略お椀型をし側面に垂直に投入口１２ｂを設け、下部に火格子１２ｃを持つ燃焼室１２を中心として、前記燃焼室１２の頂点に上部と下部の径の大きさの異なる煙道１１ａからなる排気筒１１が接続され外観１４の屋根１４ａに貫通している。
【０００４】
燃焼室１２の下には、内部が中央に向かって傾斜している灰受け部１３が設置されたことを特徴とした構造となっている。尚、符号１２ａは燃焼室１２の外壁を示し、符号１４ｂは外観１４の外壁を示している。
【０００５】
しかしながら、従来の焼却炉１０では、縦置き構造ながらも燃焼の対象物を投入する投入口が一つしか設けられておらず、そのため燃焼に必要な酸素の供給が不十分となり不完全燃焼の原因となっていた。
【０００６】
また、不完全燃焼により火格子１２ｃから灰受け部１３へ落ちることができなかった燃焼の対象物により火格子１２ｃが目詰まりとなり更に不完全燃焼を起こさせる原因となっていた。
【０００７】
不完全燃焼はダイオキシン等の発生の原因となることでもあり、従来の焼却炉１０では煙がそのまま外部へ排出される構造を採っているためダイオキシン等が発生した場合も当然そのまま排気されるので環境問題の点でも大きな問題となっていた。
【発明の開示】
【発明が解決しようとする課題】
【０００８】
そこで、本発明は酸素不足から起こる不完全燃焼がなく、そのため不完全燃焼物による火格子の目詰まりもなく、また万が一燃焼中にダイオキシンが発生した場合でも外部に煙を排気する際にはダイオキシンが消滅しているため環境に優しい焼却炉を提供することを目的としている。
【課題を解決するための手段】
【０００９】
本発明は、上記の課題を解決するために、４つの投入口を十文字状に配置した釣り鐘状の燃焼室の内部に火格子、灰漏斗を設けた燃焼部と、燃焼部に接続された煙道とアフターバーナーを備えたサイクロン室からなるサイクロン式燃焼室と、サイクロン室内を負圧にするために空気を送り込むブロアー及び送気管とからなるブロアー部と、燃焼から起こる煙を外部に吐き出すための送煙管からなる排気部とからなり、前記燃焼部、サイクロン式燃焼室、ブロアー部、排気部を上から下に縦方向に設けたことを特徴とする半乾留・負圧燃焼方式焼却炉と燃焼後の灰を蓄積する灰受け皿より灰を外部へ運び出すためのベルトコンベアを備えたことを特徴とする半乾留・負圧燃焼方式焼却炉の構成とした。
【発明の効果】
【００１０】
第１に、本発明である半乾留・負圧燃焼方式焼却炉は、燃焼対象物の投入口が多くその分燃焼に必要な酸素の供給も多くできるため、酸素不足による不完全燃焼が起こらない。  
【００１１】
第２に、不完全燃焼物による火格子の目詰まりがさらなる不完全燃焼を起こす原因となっていたが、不完全燃焼がないために目詰まりも起こらないため、さらなる不完全燃焼を起こす心配がない。
【００１２】
第３に、万が一ダイオキシンを発生させる物体を焼却してしまい焼却中にダイオキシンが発生してしまっても外部へ排気する前にダイオキシン等を含んだ煙を高温（４００℃以上）で再燃焼することでダイオキシンまでも無くしてしまうため環境汚染に繋がる有害物質を吐き出す事がない。
【発明を実施するための最良の形態】
【００１３】
寺社等などで使用できる省スペースの縦置き型の焼却炉でありながらダイオキシン等などに代表される有害物質を排気することがない焼却炉という目的を負圧状態を作り出す機能と再燃焼機能により実現した。
【実施例１】
【００１４】
以下に、添付図面に基づいて本発明である半乾留・負圧燃焼方式焼却炉を詳細に説明する。図１は本発明である半乾留・負圧燃焼方式焼却炉の縦断面図及び一部拡大図、図２は本発明である半乾留・負圧燃焼方式焼却炉のＡ−Ａ横断面図、図３は本発明である半乾留・負圧燃焼方式焼却炉の外壁等を示した正面図である。
【００１５】
図１に示すように、本発明である半乾留・負圧燃焼方式焼却炉１は、燃焼部２とサイクロン式燃焼室３とブロアー部４と排気部５とからなる。前記燃焼室２は釣り鐘状の焼却室２ａと地面６等に設置する際の基礎２ｃとからなる。
【００１６】
焼却室２ａの壁面には内部と外部を繋ぎ焼却対象物を投入するための４つの投入口２ｂ、２ｂ、２ｂ、２ｂが壁面より外方に向かって設置されている。尚、４つの投入口２ｂ、２ｂ、２ｂ、２ｂは十文字状に位置するように設置されている。
【００１７】
投入口２ｂ、２ｂ、２ｂ、２ｂには蓋２ｇ、２ｇ、２ｇ、２ｇがついており開閉可能となっている。焼却室２ａ内部の前記投入口２ｂ、２ｂ、２ｂ、２ｂより少し下がった場所には雑芥等７ａを乗せる火格子２ｃが設置されており燃焼された灰８が火格子２ｃの目から下へ落ちる仕組みとなっている。
【００１８】
前記火格子２ｃの下は空洞２ｆとなっており空洞２ｆの一番下は灰漏斗２ｅに繋がっている。前記灰漏斗２ｅは中央に向かって傾斜しておりその下に設置された灰受け皿８ａに灰８が注がれるようになっている。
【００１９】
前記灰漏斗２ｅは前記基礎２ｃよりも下に設置されているため、半乾留・負圧燃焼方式焼却炉１を設置する際は、地面６に空間を設けその中に灰漏斗２ｅが位置するように設置する。
【００２０】
前記サイクロン式燃焼室３はサイクロン室３ａ、煙道３ｂ及びアフターバーナー３ｃとからなり、サイクロン室３ａの下部からはブロアー部４が貫通してきておりブロアー部４の送気管４ｂの先端がサイクロン室３ａの中央付近になるように接続されている。
【００２１】
またサイクロン室３ａの上部からは排気部５の送煙管５ａが貫通してきており送煙管５ａの下端がサイクロン室３ａの中央付近且つ前記送気管４ｂの上端の真上に来るように接続されている。尚、送煙管５ａの下端と送気管４ｂの上端は接近しているが空間を保っている。
【００２２】
煙道３ｂは前記燃焼室２ａの上部から伸びており、サイクロン室３ａの上部と繋がっている筒である。燃焼部２において発生した煙は煙道３ｂを上昇しサイクロン室３ａへ入ってゆく。
【００２３】
サイクロン式燃焼室３にはアフターバーナー３ｃが設置されており、送煙管５ａの中間部分に垂直に貫通しており送煙管５ａ内を上昇していく煙を再度燃焼している。尚、前記アフターバーナー３ｃは送煙管５ａ内に貫通していなくてもよく送煙管５ａ内の特定部分の温度を高温に保つことができれば、外側からアフターバーナー３ｃで熱する状態でもよい。
【００２４】
ブロアー部４はブロアー４ａと送気管４ｂとからなり、燃焼部２の外側上部に取り付けられ送気管４ｂの先端は前記サイクロン式焼却室３のサイクロン室３ａ内に貫通している。
【００２５】
排気部５は屈曲した送煙管５ａからなり送煙管５ａは前記サイクロ式焼却室３のサイクロン室３ａへ貫通しており送煙管５ａの下端はサイクロン室３ａの内側中央付近に位置している。また、送煙管５ａのサイクロン室３ａ内に位置する部分では横からアフターバーナー３ｃが垂直に貫通してきており、送煙管５ａ内を熱している。
【００２６】
図２に示すように燃焼部２に設けられている投入口２ｂ、２ｂ、２ｂ、２ｂは外壁２ａより外方へ向かって突出しており上部より見るとお互いに十文字状に位置するように設置されている。また、それぞれの先端には取り外し可能な蓋２ｇ、２ｇ、２ｇ、２ｇが取り付けられている。
【００２７】
図１及び図２に示すように、燃焼対象物であるお札７等を投入口２ｂより燃焼部２内に入れ火格子２ｄ上に置く。火格子２ｄでお札７等を始めとする雑芥等７ａは燃焼され次第に灰と化してゆく。前記火格子２ｄの編み目よりも小さくなった灰８は火格子２の隙間から下へ落ち空洞２ｆを通り灰漏斗２ｅにより中央に集められ灰受け皿８ａに受け止められる。
【００２８】
前記焼却中の雑芥等７ａから発生する煙は燃焼室２ａ内を上昇し煙道３ｂに入ってゆく。そして更に煙道３ｂ内を上昇し、サイクロン室３ａへ入ってゆく。サイクロン室３ａ内では図１の一部拡大図に示したように前記ブロアー４ａから送られる暴風が送気管４ｂから発せられ、送煙管５ａ内に吹き込んでいる。
【００２９】
ブロアー４から発せられた暴風は負圧状態を作っており送気管４ｂの出口と送煙管５ａの入口に僅かにできた空間では暴風により起こる負圧状態がサイクロン室３ａ内に充満している煙に触れていることになる。
【００３０】
サイクロン室３ａ内の気圧は送気管４ｂの出口と送煙管５ａの入口の間の気圧よりも高いため気圧の高い場所にある煙は送気管４ｂと送煙管５ａの隙間で起こっている負圧状態へと引き込まれていく。
【００３１】
この気圧の流れにより燃焼室２ａで発生する煙は更にサイクロン室３ａへ吸い上げられていく。また複数設置された投入口２ｂ、２ｂ、２ｂ、２ｂの蓋２ｇ、２ｇ、２ｇ、２ｇのいくつかを空けておくことで新しい酸素が効率よく取り入れられる。
【００３２】
このように半乾留・負圧燃焼方式焼却炉１内では常に一定の気体の流れが発生しており、また蓋２ｇを開けておくことで燃焼に必要な酸素も常に供給されるため燃焼が効率よく進み燃焼時間の短縮にもなる。
【００３３】
前記送気管４ｂの出口と送煙管５ａの入口の間に設けた隙間から負圧状態により引き込まれた煙は送煙管５ａ内に取り込まれそのまま上昇して行く。送煙管５ａに取り込まれた煙はブロアー部４からの暴風と一緒になり送煙管５ａ内上昇する途中でアフターバーナー３ｃの高温により再燃焼される。
【００３４】
アフターバーナー３ｃの高温による再燃焼により煙に含まれる可能性があるダイオキシン等は無くなり煙が排気部５より外部へ放出されるときには環境に無害の気体となっている。
【００３５】
図３は、本発明である半乾留・負圧燃焼方式焼却炉の外観等を示した正面図である。本発明である半乾留・負圧燃焼方式焼却炉１は、特に寺社等での使用を考え考案したものでるため図３に示すように外観９は屋根９ａ、９ａ、９ａと外壁９ｂとからなる塔の形とした。即ち、本例の焼却炉１は、恰も３重塔の外観をしている。屋根１４ａの形状等は、特に限定したものではなく、種種の屋根形であってもよい。
【実施例２】
【００３６】
図４は、本発明である半乾留・負圧燃焼方式焼却炉の第２実施例の縦断面図である。図４に示すように本発明である半乾留・負圧燃焼方式焼却炉１ａは前記図１から図３に示した半乾留・負圧燃焼方式焼却炉１とほぼ同様の構造をしている。
【００３７】
半乾留・負圧燃焼方式焼却炉１ａを設置した下の地中に設けられた灰受け皿８ａよりベルトコンベア９ｄが設けられており、前記ベルトコンベア９ｄは灰受け皿８ａから地上に向かって設置されている。
【００３８】
地中を通り地上へ伸びたベルトコンベア９ｄの先端は新たな灰受け皿８ｂの上部へ設置されていて、ベルトコンベア９ｄにより地上へ運ばれた灰８は灰受け皿８ｂへ蓄積される仕組みとなっている。
【００３９】
前記ベルトコンベア９ｄの地上に出た部分と灰受け皿８ｂは風雨を避けられるようにカバー９ｃで覆われており、地中より地上へ搬出された灰８が吹き飛んだり、雨に濡れない用になっている。
【００４０】
以上の構造から半乾留・負圧燃焼方式焼却炉１ａでは燃焼により発生した灰８がベルトコンベア９ｄにより逐次地上へ運搬されるため地中に灰８が地中に溜まることがない。
【図面の簡単な説明】
【００４１】
【図１】本発明である半乾留・負圧燃焼方式焼却炉の縦断面図及び一部拡大図である。
【図２】本発明である半乾留・負圧燃焼方式焼却炉のＡ−Ａ横断面図である。
【図３】本発明である半乾留・負圧燃焼方式焼却炉の外壁等を示した正面図である。
【図４】本発明である半乾留・負圧燃焼方式焼却炉の第２実施例の縦断面図である。
【図５】従来の焼却炉の縦断面図である。
【図６】従来の焼却炉の外壁等を示した正面図である。
【符号の説明】
【００４２】
１        半乾留・負圧燃焼方式焼却炉
２        燃焼室
２ａ      外壁
２ｂ      投入口
２ｃ      基礎
２ｄ      火格子
２ｅ      灰漏斗
２ｆ      空洞
２ｇ      蓋
３        サイクロン式燃焼室
３ａ      サイクロン室
３ｂ      煙道
３ｃ      アフターバーナー
４        ブロアー部
４ａ      ブロアー
４ｂ      送気管
５        排気部
５ａ      送煙管
６        地面
７        お札
７ａ      雑芥等
８        灰
８ａ      灰受け皿
８ｂ      灰受け皿
９        外壁
９ａ      屋根
９ｂ      外壁
９ｃ      カバー
９ｄ      ベルトコンベア
１０      焼却炉
１１      排気筒
１１ａ    煙道
１２      燃焼室
１２ａ    外壁
１２ｂ    投入口
１２ｃ    火格子
１３      灰受け室
１４      外観
１４ａ    屋根
１４ｂ    外壁
【図１】
2005061776.tif 000003
【図２】
2005061776.tif 000004
【図３】
2005061776.tif 000005
【図４】
2005061776.tif 000006
【図５】
2005061776.tif 000007
【図６】
2005061776.tif 000008